(57)【要約】【課題】  好適に光漏れを防止できるとともに、スクリーンと保持板との充分な連結強度を得ることが可能な投射映像機器を提供する。【解決手段】  フレネルレンズ３２とレンチキュラーレンズ３１とを備えて構成されるスクリーン３の背面側から映像光を投射して拡大画面を写し出す投射映像機器である。フレネルレンズ３２の外周端面には保持板２の前端部と嵌合する切欠形状部３２ｂが形成されている。切欠形状部３２ｂと保持板２の前端部とを嵌合させた状態で、レンチキュラーレンズ３１及びフレネルレンズ３２が粘着テープにより保持板２に固定されている。【選択図】    図１
2006098535.tif 000002
【特許請求の範囲】
【請求項１】
フレネルレンズとレンチキュラーレンズとを備えて構成されるスクリーンの背面側から映像光を投射して拡大画面を写し出す投射映像機器において、
スクリーン枠と、
前記スクリーン枠から前方に突出するように該スクリーン枠に設けられ、前記スクリーンを保持する保持板と、
を備え、
前記フレネルレンズの外周端面には、前記保持板の前端部と嵌合する切欠形状部が形成され、
前記切欠形状部と、前記保持板の前端部とは、これらが嵌合した状態で前記フレネルレンズの外周端面と前記保持板の外側の面とがほぼ面一となるような寸法とされ、
前記切欠形状部と前記保持板の前端部とを嵌合させた状態で、前記フレネルレンズ及び前記レンチキュラーレンズを前記保持板に固定したことを特徴とする投射映像機器。
【請求項２】
前記切欠形状部と前記保持板の前端部とを嵌合させた状態で、前記フレネルレンズの外周端面、前記レンチキュラーレンズの外周端面及び前記保持板の外側の面を連結する粘着テープにより、両レンズを前記保持板に固定したことを特徴とする請求項１に記載の投射映像機器。
【請求項３】
前記切欠形状部と前記保持板の前端部とを嵌合させるとともに、前記フレネルレンズの前面に前記レンチキュラーレンズを配置した状態で、前記レンチキュラーレンズの外周端面、前記フレネルレンズの外周端面及び前記保持板の外側の面を連結する粘着テープを、両レンズの外周端面の全周に貼り付けて、両レンズを前記保持板に固定したことを特徴とする請求項２に記載の投射映像機器。
【請求項４】
前記切欠形状部と前記保持板の前端部とを嵌合させた状態で、前記保持板の外側の面と前記フレネルレンズの外周端面とを連結する第１の粘着テープを貼り付けた後で、
前記フレネルレンズの前面に前記レンチキュラーレンズを配置した状態で、前記レンチキュラーレンズの外周端面、前記フレネルレンズの外周端面及び前記保持板の外側の面を連結する第２の粘着テープを、前記第１の粘着テープにも重なるように、両レンズの外周端面の全周に貼り付けて、両レンズを前記保持板に固定したことを特徴とする請求項２に記載の投射映像機器。
【請求項５】
前記切欠形状部と前記保持板の前端部とを嵌合させるとともに、前記フレネルレンズの前面に前記レンチキュラーレンズを配置した状態で、前記レンチキュラーレンズの外周端面、前記フレネルレンズの外周端面及び前記保持板の外側の面を部分的に連結する第１の粘着テープを、両レンズの外周端面の周囲の一部に貼り付けた後で、
前記レンチキュラーレンズの外周端面、前記フレネルレンズの外周端面及び前記保持板の外側の面を連結する第２の粘着テープを、前記第１の粘着テープにも重なるように、両レンズの外周端面の全周に貼り付けて、両レンズを前記保持板に固定したことを特徴とする請求項２に記載の投射映像機器。
【請求項６】
前記切欠形状部と前記保持板の前端部とを嵌合させた状態で、前記保持板の外側の面と前記フレネルレンズの外周端面とを部分的に連結する第１の粘着テープを貼り付けた後で、
前記フレネルレンズの前面に前記レンチキュラーレンズを配置した状態で、前記レンチキュラーレンズの外周端面、前記フレネルレンズの外周端面及び前記保持板の外側の面を部分的に連結する第２の粘着テープを、両レンズの外周端面の周囲の一部に貼り付け、
更にその後で、前記レンチキュラーレンズの外周端面、前記フレネルレンズの外周端面及び前記保持板の外側の面を連結する第３の粘着テープを、前記第１及び第２の粘着テープにも重なるように、両レンズの外周端面の全周に貼り付けて、両レンズを前記保持板に固定したことを特徴とする請求項２に記載の投射映像機器。
【請求項７】
前記第１及び第２の粘着テープを、相互に重なり合わないように貼り付けたことを特徴とする請求項６に記載の投射映像機器。
【請求項８】
前記フレネルレンズと前記保持板とを連結する前記第１の粘着テープを両面テープとしたことを特徴とする請求項４乃至７の何れか一項に記載の投射映像機器。
【請求項９】
前記フレネルレンズの外周端面に、該フレネルレンズの面寸法を前側よりも後側で小さくさせる段差部を形成したことにより、該段差部を境とする後側が前記切欠形状部とされていることを特徴とする請求項１乃至８の何れか一項に記載の投射映像機器。
【請求項１０】
前記保持板に、該保持板の前記前端部を薄くさせる段差部を形成したことにより、該段差部を境とする前側を切欠形状部とし、
前記保持板の切欠形状部と前記フレネルレンズの切欠形状部とが係合されていることを特徴とする請求項９に記載の投射映像機器。
【請求項１１】
前記フレネルレンズの切欠形状部と、前記保持板の前端部とを、接着剤により相互に固定したことを特徴とする請求項１乃至１０の何れか一項に記載の投射映像機器。
【請求項１２】
前記保持板の前記スクリーン枠からの前方への突出長は、前記フレネルレンズの前面への前記映像光の投射を妨げないような寸法に設定されていることを特徴とする請求項１乃至１１の何れか一項に記載の投射映像機器。
【請求項１３】
前記保持板は、前記スクリーン枠の外側の面に固定されていることを特徴とする請求項１乃至１２の何れか一項に記載の投射映像機器。
【請求項１４】
前記スクリーン枠は、少なくともその前部が矩形枠状に形成され、
当該投射映像機器は、前記スクリーン枠の前部における４つの面の各々に対応する４つの前記保持板を備え、
前記４つの保持板は、それぞれ弾性材からなるとともに、隣り合う保持板とは前記スクリーン枠の角部にて相互に離間するような寸法に形成されていることを特徴する請求項１乃至１３の何れか一項に記載の投射映像機器。
【発明の詳細な説明】
【技術分野】
【０００１】
本発明は、マルチスクリーンを構成する投射映像機器に関する。
【背景技術】
【０００２】
従来より、フレネルレンズとレンチキュラーレンズとを備えて構成されるスクリーンの背面側から映像光を投射して拡大画面を写し出す投射映像機器が知られている（例えば、特許文献１、２参照）。
【０００３】
複数の投射映像機器のスクリーンを同一面内において縦横に並べて配置することにより、マルチスクリーンを構成することができる。
【０００４】
図９は、特許文献１に記載された投射映像機器の要部を示す側断面図である。以下、図９を参照して特許文献１の投射映像機器について説明する。なお、簡単のために特許文献１で用いられているのと同一の符号を用いた都合上、後述する実施形態と符号が重複することがある。
【０００５】
図９に示すように、投射映像機器のスクリーンは、前側に位置するレンチキュラーレンズ８ａと、後側に位置するフレネルレンズ８ｂと、の２層構造をなしている。
【０００６】
このようなスクリーンは、保持板７を介して、スクリーン枠６に保持されている。
【０００７】
具体的には、フレネルレンズ８ｂ、保持板７及びスクリーン枠６は、粘着テープ５により相互に連結されている。
【０００８】
更に、レンチキュラーレンズ８ａは、その前面側からフレネルレンズ８ｂ、保持板７及びスクリーン枠６上の粘着テープ５までを覆うように貼設された、片面に粘着層１０ａを有する透明フィルム１０によって、フレネルレンズ８ｂの前面側に固定されている。
【０００９】
このような投射映像機器は、スクリーンの後方に配置された投射ユニットからの投射光をスクリーンに投射して、映像表示を行う。
【００１０】
また、特許文献２にも、フレネルレンズとスクリーン枠とを粘着テープにより連結した技術が記載されている。
【００１１】
図１０は、特許文献２に記載された投射映像機器の要部を示す側断面図である。なお、図１０では、スクリーンが下向きとなっている。
【００１２】
以下、図１０を参照して特許文献２の投射映像機器について説明する。なお、簡単のために特許文献２で用いられているのと同一の符号を用いた都合上、後述する実施形態や先に行った特許文献１の説明と符号が重複することがある。
【００１３】
図１０に示すように、特許文献２の場合、フレネルレンズ２３とスクリーン枠とを粘着テープ４０により連結している。
【００１４】
更に、レンチキュラレンズ１０の切断面から外側に漏れる投射光を遮断するために金具５０を設け、画質の向上を図っている。
【特許文献１】特開２００２−２３２７０号公報（図１）
【特許文献２】特開平９−９０５１２号公報（請求項１３、段落５３）
【発明の開示】
【発明が解決しようとする課題】
【００１５】
しかしながら、特許文献２の技術の場合、光漏れを防止するために金具５０を設ける必要があり、手間がかかる。
【００１６】
更に、複数の投射映像機器によりマルチスクリーンを構成した場合に、金具５０の厚さの分だけ、隣接するスクリーン間の目地幅が増大してしまう。
【００１７】
このようにスクリーン間の目地幅が増大すると、マルチスクリーンにおける画質が劣化してしまう。
【００１８】
また、特許文献１には、粘着テープ５を有色のものとしてフレネルレンズ８ｂの周面からの光漏れを防止する旨が記載されているものの、薄い粘着テープ５だけでは該光漏れの防止効果が充分ではなかった。
【００１９】
また、図９に示すようなフレネルレンズ８ｂ及び保持板７の構造では、単に粘着テープ５により連結しただけでは、充分な強度が得られない可能性もある。
【００２０】
本発明は、上記のような問題点を解決するためになされたもので、より好適に光漏れを防止できるとともに、スクリーンと保持板との充分な連結強度を得ることが可能な投射映像機器を提供することを目的とする。
【課題を解決するための手段】
【００２１】
上記課題を解決するため、本発明の投射映像機器は、フレネルレンズとレンチキュラーレンズとを備えて構成されるスクリーンの背面側から映像光を投射して拡大画面を写し出す投射映像機器において、スクリーン枠と、前記スクリーン枠から前方に突出するように該スクリーン枠に設けられ、前記スクリーンを保持する保持板と、を備え、前記フレネルレンズの外周端面には、前記保持板の前端部と嵌合する切欠形状部が形成され、前記切欠形状部と、前記保持板の前端部とは、これらが嵌合した状態で前記フレネルレンズの外周端面と前記保持板の外側の面とがほぼ面一となるような寸法とされ、前記切欠形状部と前記保持板の前端部とを嵌合させた状態で、前記フレネルレンズ及び前記レンチキュラーレンズを前記保持板に固定したことを特徴としている。
【００２２】
本発明の投射映像機器においては、前記切欠形状部と前記保持板の前端部とを嵌合させた状態で、前記フレネルレンズの外周端面、前記レンチキュラーレンズの外周端面及び前記保持板の外側の面を連結する粘着テープにより、両レンズを前記保持板に固定したことが好ましい。
【００２３】
本発明の投射映像機器においては、前記切欠形状部と前記保持板の前端部とを嵌合させるとともに、前記フレネルレンズの前面に前記レンチキュラーレンズを配置した状態で、前記レンチキュラーレンズの外周端面、前記フレネルレンズの外周端面及び前記保持板の外側の面を連結する粘着テープを、両レンズの外周端面の全周に貼り付けて、両レンズを前記保持板に固定したことが好ましい。
【００２４】
本発明の投射映像機器においては、前記切欠形状部と前記保持板の前端部とを嵌合させた状態で、前記保持板の外側の面と前記フレネルレンズの外周端面とを連結する第１の粘着テープを貼り付けた後で、前記フレネルレンズの前面に前記レンチキュラーレンズを配置した状態で、前記レンチキュラーレンズの外周端面、前記フレネルレンズの外周端面及び前記保持板の外側の面を連結する第２の粘着テープを、前記第１の粘着テープにも重なるように、両レンズの外周端面の全周に貼り付けて、両レンズを前記保持板に固定したことも好ましい。
【００２５】
本発明の投射映像機器においては、前記切欠形状部と前記保持板の前端部とを嵌合させるとともに、前記フレネルレンズの前面に前記レンチキュラーレンズを配置した状態で、前記レンチキュラーレンズの外周端面、前記フレネルレンズの外周端面及び前記保持板の外側の面を部分的に連結する第１の粘着テープを、両レンズの外周端面の周囲の一部に貼り付けた後で、前記レンチキュラーレンズの外周端面、前記フレネルレンズの外周端面及び前記保持板の外側の面を連結する第２の粘着テープを、前記第１の粘着テープにも重なるように、両レンズの外周端面の全周に貼り付けて、両レンズを前記保持板に固定したことも好ましい。
【００２６】
本発明の投射映像機器においては、前記切欠形状部と前記保持板の前端部とを嵌合させた状態で、前記保持板の外側の面と前記フレネルレンズの外周端面とを部分的に連結する第１の粘着テープを貼り付けた後で、前記フレネルレンズの前面に前記レンチキュラーレンズを配置した状態で、前記レンチキュラーレンズの外周端面、前記フレネルレンズの外周端面及び前記保持板の外側の面を部分的に連結する第２の粘着テープを、両レンズの外周端面の周囲の一部に貼り付け、更にその後で、前記レンチキュラーレンズの外周端面、前記フレネルレンズの外周端面及び前記保持板の外側の面を連結する第３の粘着テープを、前記第１及び第２の粘着テープにも重なるように、両レンズの外周端面の全周に貼り付けて、両レンズを前記保持板に固定したことも好ましい。
【００２７】
この場合、前記第１及び第２の粘着テープを、相互に重なり合わないように貼り付けていることが好ましい。
【００２８】
本発明の投射映像機器においては、前記フレネルレンズと前記保持板とを連結する前記第１の粘着テープを両面テープとしたことも好ましい。
【００２９】
本発明の投射映像機器においては、前記フレネルレンズの外周端面に、該フレネルレンズの面寸法を前側よりも後側で小さくさせる段差部を形成したことにより、該段差部を境とする後側が前記切欠形状部とされていることが好ましい。
【００３０】
この場合、前記保持板に、該保持板の前記前端部を薄くさせる段差部を形成したことにより、該段差部を境とする前側を切欠形状部とし、前記保持板の切欠形状部と前記フレネルレンズの切欠形状部とが係合されていることが好ましい。
【００３１】
本発明の投射映像機器においては、前記フレネルレンズの切欠形状部と、前記保持板の前端部とを、接着剤により相互に固定したことも好ましい。
【００３２】
本発明の投射映像機器においては、前記保持板の前記スクリーン枠からの前方への突出長は、前記フレネルレンズの前面への前記映像光の投射を妨げないような寸法に設定されていることが好ましい。
【００３３】
本発明の投射映像機器においては、前記保持板は、前記スクリーン枠の外側の面に固定されていることが好ましい。
【００３４】
本発明の投射映像機器においては、前記スクリーン枠は、少なくともその前部が矩形枠状に形成され、当該投射映像機器は、前記スクリーン枠の前部における４つの面の各々に対応する４つの前記保持板を備え、前記４つの保持板は、それぞれ弾性材からなるとともに、隣り合う保持板とは前記スクリーン枠の角部にて相互に離間するような寸法に形成されていることが好ましい。
【発明の効果】
【００３５】
請求項１に係る発明によれば、フレネルレンズの切欠形状部と保持板の前端部とを嵌合させた状態で、フレネルレンズ及びレンチキュラーレンズを保持板に固定したので、保持板とフレネルレンズとの連結強度を好適に高めることができる。また、フレネルレンズの切欠形状部と保持板の前端部との嵌合構造部によって、映像光の外部への漏れを確実に遮断することができる。
【００３６】
請求項２に係る発明によれば、請求項１と同様の効果が得られる他、レンチキュラーレンズ、フレネルレンズ及び保持板の３つの部材を連結固定する粘着テープの厚さのみがスクリーンの外周に存在する。従って、本発明の投射映像機器のスクリーンを同一面内に複数個並べてマルチスクリーン化した場合に、隣り合うスクリーン間の隙間（目地）の幅も粘着テープの厚さのみとなる。
【００３７】
更に、フレネルレンズの切欠形状部と保持板の前端部とを嵌合させた状態で、フレネルレンズと保持板とを連結することにより、保持板とフレネルレンズとの連結強度を好適に高めることができるので、粘着テープの必要量も少なくて済み、隣り合う投射映像機器との間の目地幅を極力抑制することができる。
【００３８】
このため、この目地の存在によりマルチスクリーンにおける全画面の画像が劣化してしまうことを抑制でき、実質的にはシームレス・スクリーンに近い画質を得ることができる。
【００３９】
請求項３に係る発明によれば、請求項２と同様の効果が得られる他、粘着テープを、両レンズの外周端面の全周に貼り付けて、両レンズを保持板に固定しているので、より好適に、保持板に対する両レンズの連結強度が得られる。
【００４０】
請求項４に係る発明によれば、請求項３と同様の効果が得られる。また、予め第１の粘着テープにより保持板とフレネルレンズとを連結した後で、フレネルレンズの前面にレンチキュラーレンズを配置し、レンチキュラーレンズ、フレネルレンズ及び保持板の３つの部材を第２の粘着テープにより連結固定するので、投射映像機器の組み立て作業性が向上する。
【００４１】
請求項５に係る発明によれば、請求項３と同様の効果が得られる。また、予め第１の粘着テープによりレンチキュラーレンズ、フレネルレンズ及び保持板の３つの部材を部分的に連結した後で、これら３つの部材の全周に第２の粘着テープを貼り付けて該３つの部材を連結固定するので、投射映像機器の組み立て作業性が向上する。
【００４２】
請求項６に係る発明によれば、請求項３と同様の効果が得られる。また、第１の粘着テープにより保持板とフレネルレンズとを連結した後で、フレネルレンズの前面にレンチキュラーレンズを配置し、レンチキュラーレンズ、フレネルレンズ及び保持板の３つの部材を第２の粘着テープにより部分的に連結し、更に、その後で、これら３つの部材の全周に第３の粘着テープを貼り付けて該３つの部材を連結固定するので、最終的に第３の粘着テープを貼り付ける際には、既にスクリーン全体が仮固定により一体化されているため、投射映像機器の組み立て作業性が大幅に向上する。
【００４３】
請求項７に係る発明によれば、第１及び第２の粘着テープを、相互に重なり合わないように貼り付けているので、粘着テープの重なり厚さを極力抑制することができる。
【００４４】
なお、請求項３に係る発明の場合、粘着テープは、レンチキュラーレンズ、フレネルレンズ及び保持板の３つの部材の周りに１重だけ貼り付けることが好ましく、この場合、隣り合うスクリーン間の目地幅は粘着テープ２枚分の厚みと等しくなる。
【００４５】
また、請求項４、５に係る発明の場合、第１の粘着テープは、２枚以上重なることがないように貼り付けること（一重のみ貼り付けること）が好ましく、また、第２の粘着テープは、レンチキュラーレンズ、フレネルレンズ及び保持板の３つの部材の周りに、第１の粘着テープに重なるように１重だけ貼り付けることが好ましく、この場合、隣り合うスクリーン間の目地幅は最大でも粘着テープ２×２＝４枚分の厚みに留めることができる。
【００４６】
また、請求項６に係る発明の場合、第１、第２の粘着テープは、それぞれ２枚以上重なることがないように貼り付けること（一重のみ貼り付けること）が好ましく、更に、第１及び第２の粘着テープを相互に重なり合わないように貼り付けることが好ましく、第３の粘着テープは、レンチキュラーレンズ、フレネルレンズ及び保持板の３つの部材の周りに、第１及び第２の粘着テープに重なるように１重だけ貼り付けることが好ましく、この場合、隣り合うスクリーン間の目地幅は最大でも粘着テープ２×２＝４枚分の厚みに留めることができる。
【００４７】
請求項８に係る発明によれば、フレネルレンズと保持板とを連結する第１の粘着テープを両面テープとしたので、該第１の粘着テープと、その上に重ねて貼られる粘着テープとの粘着強度を更に高めることができ、その結果、フレネルレンズ、レンチキュラーレンズ及び保持板の連結強度を高めることができる。
【００４８】
請求項９に係る発明によれば、フレネルレンズの外周端面に、該フレネルレンズの面寸法を前側よりも後側で小さくさせる段差部を形成したことにより、該段差部を境とする後側が前記切欠形状部とされているので、保持板の前端面によりフレネルレンズ、ひいてはスクリーンの全体を好適に後側から支えて保持することができる。
【００４９】
更に、請求項１０に係る発明によれば、保持板は、段差部を境とした前側に位置する切欠形状部にてフレネルレンズと係合しているので、保持板の前端面だけでなく、保持板の段差部によっても、フレネルレンズ、ひいてはスクリーンの全体を好適に後側から支えて保持することができる。
【００５０】
請求項１１に係る発明によれば、フレネルレンズの切欠形状部と、保持板の前端部とを、接着剤により相互に固定したので、保持板とフレネルレンズとの連結強度を更に高めることができる。
【００５１】
また、請求項１２に係る発明によれば、保持板のスクリーン枠からの前方への突出長は、フレネルレンズの前面への映像光の投射を妨げないような寸法に設定されているので、スクリーン枠から前方に突出した保持板がフレネルレンズの前面への映像光の投射を妨げることがない。
【００５２】
また、請求項１３に係る発明によれば、保持板がスクリーン枠の外側の面に固定されているので、保持板は、投射光の進路から外側に逃げた配置となる。よって、投射光の投射を保持板が妨げてしまうことを一層好適に防止できる。
【００５３】
また、請求項１４に係る発明によれば、スクリーン枠の４つの面の各々に対応する４つの保持板を備え、各保持板は、弾性材からなるとともに、隣り合う保持板とは前記スクリーン枠の角部にて相互に離間しているので、これら保持板によって、スクリーンの熱膨張による寸法変化にも柔軟に対応し、安定的にスクリーンを保持することができる。
【発明を実施するための最良の形態】
【００５４】
以下、図面を参照して、本発明に係る実施形態について説明する。
【００５５】
〔第１の実施形態〕
図１は本実施形態に係る投射映像機器の要部を拡大した側断面図であり、図２は、更に図１における要部を拡大した図である。また、図３は、図１と比べて粘着テープの貼り付け範囲のみが異なる例を示した図である。
【００５６】
図１に示すように、投射映像機器は、スクリーン枠１と、該スクリーン枠１に設けられた保持板２と、この保持板２に保持されたスクリーン３と、スクリーン枠１の後側に配置された図示しない本体枠と、この本体枠内に配置された図示しない投射ユニットと、を備えて構成されている。
【００５７】
このような投射映像機器を複数個、各投射映像機器のスクリーン３を同じ向きにして同一面内に並べて配置することにより、大画面のマルチスクリーンを構成することができる。
【００５８】
投射映像機器のスクリーン枠１は、例えば、前方に向け開口した略直方体の半筐体状に構成されている。すなわち、スクリーン枠１の前部は矩形枠状に形成され、従って、該前部は、正面側から見て上下左右に位置する４つの面を備えている。
【００５９】
また、スクリーン枠１の背面部を構成する壁部１ａの中央には、投射ユニットからの投射光を前側に通過させる開口１ｂが形成されている。
【００６０】
保持板２は、薄い板状材からなり、スクリーン枠１から前方に突出するように、例えばスクリーン枠１の外側の面に固定されている。
【００６１】
この保持板２のスクリーン枠１への取り付け方法は何でも良いが、例えば、ネジなどの止着部材により止着するのであっても良いし、接着剤により接着するのであっても良いし、或いは、溶接により接合するのであっても良く、保持板２及びスクリーン枠１の材質などに応じて適宜に選択すると良い。
【００６２】
なお、スクリーン枠１から前方への保持板２の突出長は、後述するフレネルレンズ３２の前面側の端部に対する映像光の投射を妨げないような寸法に設定されている。すなわち、映像光は、図１及び図２に示す境界線Ｌより内側の範囲を通過してスクリーン３に投射されるのであるが、保持板２の何れの箇所も、この映像光を妨げないようになっている。
【００６３】
ここで、本実施形態に係る投射映像機器は、スクリーン枠１の前部における４つの面の各々に対応する４つの保持板２を備え、スクリーン枠１の前部における１面ずつに対し、１つずつの保持板２が設けられている。ただし、各面の保持板２は、必要に応じて複数に分割した構造でも良い。なお、図１及び図２には、上側に位置する１つの保持板２のみを図示しており、その他の３つの保持板２、すなわち下側及び左右に位置する保持板２は図示を省略している。
【００６４】
また、これら４つの保持板２は、それぞれ弾性材からなる。
【００６５】
更に、４つの保持板２は、それぞれ隣り合う保持板２とはスクリーン枠１の４つの角部、すなわち前方から見て左斜め上、右斜め上、左斜め下及び右斜め下に位置する角部にて、相互に離間するような寸法に形成されている。
【００６６】
従って、４つの保持板２は、相互干渉を受けることなく、それぞれ独立的に、その板面を湾曲させるように弾性変形することが可能となっている。
【００６７】
なお、保持板２は、スクリーン３を好適に保持できるような材質のものであれば何でも良い。保持板２は、具体的には、例えば、鉄板或いはアクリル板などからなることが挙げられる。
【００６８】
また、保持板２は、隣接される投射映像機器へと投射光が漏洩することを好適に防止するため、投射光を透過させないように構成されている。具体的には、例えばアクリル板からなる場合には、有色（好ましくは黒色）の塗装を施すことにより、投射光を透過させないように構成されていることが好ましい。
【００６９】
スクリーン３は、前側に位置するレンチキュラーレンズ３１と後側に位置するフレネルレンズ３２とを備えて構成されている。
【００７０】
これら両レンズ３１，３２は、それぞれ矩形板状で、相互に略同一の面寸法に形成されている。
【００７１】
このうちフレネルレンズ３２の四方の外周端面には、それぞれ段差部３２ａが形成され、該フレネルレンズ３２において、該段差部３２ａを境とする後側は、前側よりも面寸法が小さくされている。
【００７２】
このため、フレネルレンズ３２の外周端面を構成する四方の面の各々において、段差部３２ａを境とする後側は、断面略Ｌ字状の切欠形状部３２ｂとされている。
【００７３】
この切欠形状部３２ｂは、例えば、フレネルレンズ３２の外周端面の全周に亘って形成されている。
【００７４】
ここで、保持板２の前端部はフレネルレンズ３２の切欠形状部３２ｂと嵌合している。
【００７５】
なお、フレネルレンズ３２の切欠形状部３２ｂと、保持板２の前端部とは、これらが嵌合した状態でフレネルレンズ３２の外周端面と保持板２の外側の面とがほぼ面一となるような寸法とされている。
【００７６】
このため、フレネルレンズ３２の外周端面から保持板２の外側の面にかけて、段差が存在しないようになっている。
【００７７】
そして、保持板２、フレネルレンズ３２及びレンチキュラーレンズ３１の３つの部材（保持板２は４分割されているので、詳細には７つの部材）は、粘着テープ４により相互に連結固定されている。
【００７８】
すなわち、フレネルレンズ３２の切欠形状部３２ｂと保持板２の前端部とを嵌合させるとともに、フレネルレンズ３２の前面にレンチキュラーレンズ３１の背面を当接させた状態で、レンチキュラーレンズ３１の外周端面、フレネルレンズ３２の外周端面及び保持板２の外側の面を連結する粘着テープ４を、両レンズ３１，３２の外周端面の全周に貼り付けることにより、両レンズ３１，３２が保持板２に固定されている。
【００７９】
ここで、粘着テープ４は、両レンズ３１，３２の外周端面の全周に巻回するように貼り付けるのでも良いが、この場合、貼り付け作業の作業性が悪い。
【００８０】
貼り付け作業性を向上させるためには、両レンズ３１，３２の四方の外周端面毎に、個別に、粘着テープ４の貼り付け作業を行うと良い。
【００８１】
また、粘着テープ４は、レンチキュラーレンズ３１、フレネルレンズ３２及び保持板２の３つの部材の周りに１重だけ貼り付けることが好ましい。
【００８２】
また、前後方向における粘着テープ４の貼設領域の範囲は、例えば、図１に範囲Ｈ１で示されるように、レンチキュラーレンズ３１の前端から保持板２の後端までであることが挙げられるが、例えば、図３に範囲Ｈ２で示されるように、スクリーン枠１の外面にまで及ぶ範囲としても良い。
【００８３】
なお、粘着テープ４は、例えば、フィルムの片面に粘着材を塗布して構成されたものであり、映像光の漏洩をより好適に防止できるようにするため有色のものであることが好ましく、例えば、特に、黒色のものが好ましい。
【００８４】
こうして、スクリーン３は、保持板２により保持され、該保持板２を介してスクリーン枠１とスクリーン３と連結されている。
【００８５】
以上のような実施形態に係る投射映像機器によれば、レンチキュラーレンズ３１、フレネルレンズ３２及び保持板２の３つの部材を連結固定する粘着テープ４の厚さのみがスクリーン３の外周に存在することとなる。
【００８６】
従って、本実施形態に係る投射映像機器のスクリーン３を同一面内に複数個並べてマルチスクリーン化した場合に、隣り合うスクリーン３間の隙間（目地）の幅も粘着テープ４の厚さのみとなる。
【００８７】
更に、フレネルレンズ３２の切欠形状部３２ｂと保持板２の前端部とを嵌合させた状態で、フレネルレンズ３２と保持板２とを連結しているので、保持板２とフレネルレンズ３２との連結強度を好適に高めることができる。よって、粘着テープ４の必要な重ね厚さが少なくて済み（具体的には、例えば１重で良く）、隣り合う投射映像機器との間の目地幅を極力抑制することができる。
【００８８】
このため、この目地の存在によりマルチスクリーンにおける全画面の画像が劣化してしまうことを抑制でき、実質的にはシームレス・スクリーンに近い画質を得ることができる。
【００８９】
具体的には、粘着テープ４をレンチキュラーレンズ３１、フレネルレンズ３２及び保持板２の３つの部材の周りに１重だけ貼り付けた場合、隣り合う投射映像機器のスクリーン３との間の目地幅は粘着テープ２枚分の厚みにすることができ、マルチスクリーンの画質劣化を極力抑制できる。
【００９０】
また、フレネルレンズ３２の切欠形状部３２ｂと保持板２の前端部との嵌合構造部によって、映像光の外部への漏れを確実に遮断することができる。
【００９１】
加えて、保持板２の前端面によりフレネルレンズ３２、ひいてはスクリーン３の全体を好適に後側から支えて保持することができる。
【００９２】
また、保持板２のスクリーン枠１からの前方への突出長は、フレネルレンズ３２の前面への映像光の投射を妨げないような寸法に設定されているので、保持板２がフレネルレンズ３２の前面への映像光の投射を妨げることがない。例えば、スクリーン枠１の前部が肉厚であったり、該前部が剛性を向上させるための折り曲げ形状を有していたとしても、保持板２が映像光の投射を妨げることがない。
【００９３】
更に、保持板２がスクリーン枠１の外側の面に固定されているので、保持板２は、投射光の進路から外側に逃げた配置となり、投射光を保持板２が妨げてしまうことを一層好適に防止できる。
【００９４】
また、スクリーン枠１の４つの面の各々に対応する４つの保持板２を備え、各保持板２は、弾性材からなるとともに、隣り合う保持板２とはスクリーン枠１の角部にて相互に離間しているので、これら保持板２によって、スクリーン３の熱膨張による寸法変化にも柔軟に対応し、安定的にスクリーン３を保持することができる。
【００９５】
＜第１の実施形態の変形例＞
図４は、第１の実施形態の変形例の投射映像機器を示す要部拡大の側断面図である。
【００９６】
この変形例の場合、図４に示すように、４つの保持板２の前部には、段差部２ａが形成され、各保持板２において、該段差部２を境とする前側は、後側よりも薄くされている。
【００９７】
このため、各保持板２において、段差部２ａを境とする前側は、断面略Ｌ字状の切欠形状部２ｂとされている。
【００９８】
なお、これら切欠形状部２ｂは、何れも内側、すなわち対向する保持板側を向いている。
【００９９】
これら切欠形状部２ｂは、フレネルレンズ３２の切欠形状部３２ｂと係合するようになっている。
【０１００】
変形例の場合、その他の点では、上記の第１の実施形態と同様である。
【０１０１】
このような変形例によれば、上記の第１の実施形態と同様の効果を得ることができる他に、保持板２は、段差部２ａを境とした前側に位置する切欠形状部２ｂにてフレネルレンズ３２と係合しているので、保持板２の前端面だけでなく、段差部２ａによっても、フレネルレンズ３２、ひいてはスクリーン３の全体を好適に後側から支えて保持することができる。
【０１０２】
〔第２の実施形態〕
図５は第２の実施形態に係る投射映像機器を示す要部拡大の側断面図である。
【０１０３】
第２の実施形態に係る投射映像機器は、粘着テープの貼り付け態様のみが第１の実施形態に係る投射映像機器と異なり、その他の点では第１の実施形態に係る投射映像機器と同様であるため、同様の構成要素には同一の符号を付し、その説明を省略するとともに、相違点についてのみ以下に説明する。
【０１０４】
図５に示すように、第２の実施形態の場合、先ず、フレネルレンズ３２の切欠形状部３２ｂと保持板２の前端部とを嵌合させた状態で、保持板２の外側の面とフレネルレンズ３２の外周端面とを連結する第１の粘着テープ５を貼り付けることによりフレネルレンズ３２と保持板２とを仮止めする。
【０１０５】
ここで、第１の粘着テープ５は、２枚以上重なることがないように貼り付けること（一重のみ貼り付けること）が好ましい。
【０１０６】
次に、フレネルレンズ３２の前面にレンチキュラーレンズ３１を配置した状態で、レンチキュラーレンズ３１の外周端面、フレネルレンズ３２の外周端面及び保持板２の外側の面を連結する第２の粘着テープ６を、第１の粘着テープ５にも重なるように、両レンズ３１，３２の外周端面の全周に貼り付けて、両レンズ３１、３２を保持板２に固定する。
【０１０７】
ここで、第２の粘着テープ６は、両レンズ３１，３２の外周端面の全周に巻回するように貼り付けるのでも良いが、この場合、貼り付け作業の作業性が悪い。
【０１０８】
貼り付け作業性を向上させるためには、両レンズ３１，３２の四方の外周端面毎に、個別に、第２の粘着テープ６の貼り付け作業を行うと良い。
【０１０９】
また、第２の粘着テープ６は、レンチキュラーレンズ３１、フレネルレンズ３２及び保持板２の３つの部材の周りに１重だけ貼ることが好ましい。
【０１１０】
以上のような第２の実施形態によれば、上記の第１の実施形態と同様の効果が得られる。
【０１１１】
また、予め第１の粘着テープ５により保持板２とフレネルレンズ３２とを連結（仮固定）した後で、フレネルレンズ３２の前面にレンチキュラーレンズ３１を配置し、レンチキュラーレンズ３１、フレネルレンズ３２及び保持板２の３つの部材を第２の粘着テープ６により連結固定するので、投射映像機器の組み立て作業性が向上する。
【０１１２】
更に、第１の粘着テープ５を２枚以上重なることがないように貼り付け、第２の粘着テープ６をレンチキュラーレンズ３１、フレネルレンズ３２及び保持板２の３つの部材の周りに第１の粘着テープ５に重なるように１重だけ貼り付けた場合、隣り合う投射映像機器のスクリーンとの間の目地幅は最大でも粘着テープ２×２＝４枚分の厚みに留めることができる。
【０１１３】
なお、上記の第２の実施形態で説明した固定方法、すなわち、予め第１の粘着テープ５により保持板２とフレネルレンズ３２とを連結した後で、フレネルレンズ３２の前面にレンチキュラーレンズ３１を配置した状態でレンチキュラーレンズ３１、フレネルレンズ３２及び保持板２の３つの部材を第２の粘着テープ６により連結する固定方法は、保持板２の構造が、上記の第１の実施形態の変形例で説明した構造の場合にも、同様に適用することができる。
【０１１４】
〔第３の実施形態〕
図６は第３の実施形態に係る投射映像機器を示す要部拡大の側断面図である。
【０１１５】
第３の実施形態に係る投射映像機器は、粘着テープの貼り付け態様のみが第１の実施形態に係る投射映像機器と異なり、その他の点では第１の実施形態に係る投射映像機器と同様であるため、同様の構成要素には同一の符号を付し、その説明を省略するとともに、相違点についてのみ以下に説明する。
【０１１６】
図６に示すように、第３の実施形態の場合、先ず、フレネルレンズ３２の切欠形状部３２ｂと保持板２の前端部とを嵌合させるとともに、フレネルレンズ３２の前面にレンチキュラーレンズ３１を配置した状態で、レンチキュラーレンズ３１の外周端面、フレネルレンズ３２の外周端面及び保持板２の外側の面を部分的に連結する第１の粘着テープ７を、両レンズ３１、３２の外周端面の周囲の一部に貼り付ける。これにより、両レンズ３１，３２を保持板２に仮止めし部分的に連結する。
【０１１７】
ここで、第１の粘着テープ７は、２枚以上重なることがないように貼り付けること（一重のみ貼り付けること）が好ましい。
【０１１８】
次に、レンチキュラーレンズ３１の外周端面、フレネルレンズ３２の外周端面及び保持板２の外側の面を連結する第２の粘着テープ８を、第１の粘着テープ７にも重なるように、両レンズ３１，３２の外周端面の全周に貼り付けて、両レンズ３１、３２を保持板２に固定する。
【０１１９】
ここで、第２の粘着テープ８は、両レンズ３１，３２の外周端面の全周に巻回するように貼り付けるのでも良いが、この場合、貼り付け作業の作業性が悪い。
【０１２０】
貼り付け作業性を向上させるためには、両レンズ３１，３２の四方の外周端面毎に、個別に、第２の粘着テープ８の貼り付け作業を行うと良い。
【０１２１】
また、第２の粘着テープ８は、レンチキュラーレンズ３１、フレネルレンズ３２及び保持板２の３つの部材の周りに１重だけ貼ることが好ましい。
【０１２２】
以上のような第３の実施形態によれば、上記の第１の実施形態と同様の効果が得られる。
【０１２３】
また、予め第１の粘着テープ７によりレンチキュラーレンズ３１、フレネルレンズ３２及び保持板２の３つの部材を部分的に連結した後で、これら３つの部材の全周に第２の粘着テープ８を貼り付けて該３つの部材を連結固定するので、投射映像機器の組み立て作業性が向上する。
【０１２４】
更に、第１の粘着テープ７を２枚以上重なることがないように貼り付け、第２の粘着テープ８をレンチキュラーレンズ３１、フレネルレンズ３２及び保持板２の３つの部材の周りに第１の粘着テープ７に重なるように１重だけ貼り付けた場合、隣り合う投射映像機器のスクリーンとの間の目地幅は最大でも粘着テープ２×２＝４枚分の厚みに留めることができる。
【０１２５】
なお、上記の第３の実施形態で説明した固定方法、すなわち、予め第１の粘着テープ７によりレンチキュラーレンズ３１、フレネルレンズ３２及び保持板２の３つの部材を仮止めし部分的に連結した後で、レンチキュラーレンズ３１、フレネルレンズ３２及び保持板２の３つの部材を第２の粘着テープ８により連結する固定方法は、保持板２の構造が、上記の第１の実施形態の変形例で説明した構造の場合にも、同様に適用することができる。
【０１２６】
〔第４の実施形態〕
図７及び図８は第４の実施形態に係る投射映像機器を示す要部拡大の側断面図である。
【０１２７】
第４の実施形態に係る投射映像機器は、粘着テープの貼り付け態様のみが第１の実施形態に係る投射映像機器と異なり、その他の点では第１の実施形態に係る投射映像機器と同様であるため、同様の構成要素には同一の符号を付し、その説明を省略するとともに、相違点についてのみ以下に説明する。
【０１２８】
図７及び図８に示すように、第４の実施形態の場合、先ず、フレネルレンズ３２の切欠形状部３２ｂと保持板２の前端部とを嵌合させた状態で、保持板２の外側の面とフレネルレンズ３２の外周端面とを連結する第１の粘着テープ９を貼り付けることによりフレネルレンズ３２と保持板２とを仮止めする。
【０１２９】
ここで、第１の粘着テープ９は、２枚以上重なることがないように貼り付けること（一重のみ貼り付けること）が好ましい。
【０１３０】
次に、フレネルレンズ３２の前面にレンチキュラーレンズ３１を配置した状態で、レンチキュラーレンズ３１の外周端面、フレネルレンズ３２の外周端面及び保持板２の外側の面を部分的に連結する第２の粘着テープ１０を、両レンズ３１，３２の外周端面の周囲の一部に貼り付ける。これにより、両レンズ３１，３２を保持板２に仮止めし部分的に連結する。
【０１３１】
ここで、第２の粘着テープ１０も、２枚以上重なることがないように貼り付けること（一重のみ貼り付けること）が好ましい。
【０１３２】
なお、図７では、第２の粘着テープ１０を第１の粘着テープ９にも重なるように貼り付けた例を示しているが、図８に示すように、第２の粘着テープ１０は、第１の粘着テープ９に重ならないように貼り付けることも好ましい。重なるように貼り付けた場合には連結強度を高めることができる一方で、重ならないように貼り付けた場合にはテープの重なり厚さを低減し、隣のスクリーンとの間の目地幅を低減することができる。
【０１３３】
次に、レンチキュラーレンズ３１の外周端面、フレネルレンズ３２の外周端面及び保持板２の外側の面を連結する第３の粘着テープ１１を、第１及び第２の粘着テープ９，１０にも重なるように、両レンズ３１，３２の外周端面の全周に貼り付けて、両レンズ３１，３２を保持板２に固定する。
【０１３４】
ここで、第３の粘着テープ１１は、両レンズ３１，３２の外周端面の全周に巻回するように貼り付けるのでも良いが、この場合、貼り付け作業の作業性が悪い。
【０１３５】
貼り付け作業性を向上させるためには、両レンズ３１，３２の四方の外周端面毎に、個別に、第３の粘着テープ１１の貼り付け作業を行うと良い。
【０１３６】
また、第３の粘着テープ１１は、レンチキュラーレンズ３１、フレネルレンズ３２及び保持板２の３つの部材の周りに１重だけ貼ることが好ましい。
【０１３７】
以上のような第４の実施形態によれば、上記の第１の実施形態と同様の効果が得られる。
【０１３８】
また、予め第１の粘着テープ９により保持板２とフレネルレンズ３２とを連結した後で、フレネルレンズ３２の前面にレンチキュラーレンズ３１を配置した状態でレンチキュラーレンズ３１、フレネルレンズ３２及び保持板２の３つの部材を第２の粘着テープ１０により部分的に連結し、更に、その後で、これら３つの部材の全周に第３の粘着テープ１１を貼り付けて該３つの部材を連結固定するので、最終的に第３の粘着テープ１１を貼り付ける際には、既にスクリーン３の全体が仮固定により一体化されているため、投射映像機器の組み立て作業性が大幅に向上する。
【０１３９】
また、第１及び第２の粘着テープ９，１０をそれぞれ２枚以上重なることがないように貼り付け（一重のみ貼り付け）、第２の粘着テープ１０を第１の粘着テープ９に重ならないように貼り付け、更に、第３の粘着テープ１１をレンチキュラーレンズ３１、フレネルレンズ３２及び保持板２の３つの部材の周りに、第１及び第２の粘着テープ９，１０に重なるように１重だけ貼り付けた場合、隣り合う投射映像機器のスクリーンとの間の目地幅は最大でも粘着テープ２×２＝４枚分の厚みに留めることができる。
【０１４０】
なお、上記の第４の実施形態で説明した固定方法、すなわち、予め第１の粘着テープ９により保持板２とフレネルレンズ３２とを連結した後で、フレネルレンズ３２の前面にレンチキュラーレンズ３１を配置した状態でレンチキュラーレンズ３１、フレネルレンズ３２及び保持板２の３つの部材を第２の粘着テープ１０により部分的に仮固定し、更に、その後で、第３の粘着テープ１１によりこれら３つの部材を連結固定する固定方法は、保持板２の構造が、上記の第１の実施形態の変形例で説明した構造の場合にも、同様に適用することができる。
【０１４１】
また、上記の各実施形態において、フレネルレンズ３２の切欠形状部３２ｂと、保持板２の前端部とを、接着剤により相互に固定するようにすれば、より一層保持板２とフレネルレンズ３２との連結強度を高めることができる。
【０１４２】
更に、上記の第２、第３及び第４の実施形態において、フレネルレンズ３２と保持板２とを連結する粘着テープ（第２の実施形態（図５）の場合における第１の粘着テープ５、第３の実施形態（図６）の場合における第１の粘着テープ７、第４の実施形態（図７、図８）の場合における第１の粘着テープ９）を両面テープとすることにより、該粘着テープと、その上に重ねて貼られる粘着テープ（第２の実施形態（図５）の場合における第２の粘着テープ６、第３の実施形態（図６）の場合における第２の粘着テープ８、第４の実施形態（図７）の場合における第２及び第３の粘着テープ１０，１１、第４の実施形態（図８）の場合における第３の粘着テープ１１）との粘着強度を高め、フレネルレンズ３２、レンチキュラーレンズ３１及び保持板２の連結強度を高めることができる。
【０１４３】
同様に、第４の実施形態の場合において、フレネルレンズ３２とレンチキュラーレンズ３１とを連結する第２の粘着テープ１０を両面テープとすることにより、該粘着テープ１０と、その上に重ねて貼られる第３の粘着テープ１１との粘着強度を高め、フレネルレンズ３２、レンチキュラーレンズ３１及び保持板２の連結強度を高めることができる。
【図面の簡単な説明】
【０１４４】
【図１】第１の実施形態に係る投射映像機器の要部拡大側断面図である。
【図２】図１の要部を更に拡大した図である。
【図３】第１の実施形態に係る投射映像機器の要部拡大側断面図であり、図１と比べて粘着テープの貼り付け範囲のみが異なる例を示す。
【図４】第１の実施形態の変形例に係る投射映像機器の要部拡大側断面図である。
【図５】第２の実施形態に係る投射映像機器の要部拡大側断面図である。
【図６】第３の実施形態に係る投射映像機器の要部拡大側断面図である。
【図７】第４の実施形態に係る投射映像機器の第１の例の要部拡大側断面図である。
【図８】第４の実施形態に係る投射映像機器の第２の例の要部拡大側断面図である。
【図９】特許文献１の投射映像機器の要部を示す側断面図である。
【図１０】特許文献２の投射映像機器の要部を示す側断面図である。
【符号の説明】
【０１４５】
１      スクリーン枠
２      保持板
２ａ    段差部
２ｂ    切欠形状部
３      スクリーン
３１    レンチキュラーレンズ
３２    フレネルレンズ
３２ａ  段差部
３２ｂ  切欠形状部
４      粘着テープ
５      第１の粘着テープ
６      第２の粘着テープ
７      第１の粘着テープ
８      第２の粘着テープ
９      第１の粘着テープ
１０    第２の粘着テープ
１１    第３の粘着テープ
【図１】
2006098535.tif 000003
【図２】
2006098535.tif 000004
【図３】
2006098535.tif 000005
【図４】
2006098535.tif 000006
【図５】
2006098535.tif 000007
【図６】
2006098535.tif 000008
【図７】
2006098535.tif 000009
【図８】
2006098535.tif 000010
【図９】
2006098535.tif 000011
【図１０】
2006098535.tif 000012